(57)【要約】【課題】従来のリモートコントローラ装置は、対象機器の切り替え時に機器選択のためのユーザ操作が必要であること。【解決手段】本願発明に関わるリモートコントローラ装置は、機器固有の信号を受信する受信部と、制御コードを記憶しておく記憶部と、受信した信号から対象機器の制御コードへ再設定する制御部とを備える。この構成により機器特定要求を対象機器に対して送信し、機器固有信号を受信し、これを認証し、認証結果に応じて対象機器に対応した操作モードへと切り替わるので、ユーザ操作による対象機器の切り替えが不要となる。【選択図】図１
2005210576.tif 000002
【特許請求の範囲】
【請求項１】
操作対象機器を認証し、認証した機器に対応した制御モードへと切り替えることを特徴としたリモートコントローラ装置。
【請求項２】
請求項１に記載のリモートコントローラ装置であって、
操作対象機器から信号を受信する受信部と、
受信した信号から対象機器を認証する認証部と、
認証した対象機器を操作できる制御モードへと切り替える制御部と、
を備えたリモートコントローラ装置。
【請求項３】
請求項２に記載のリモートコントローラ装置の制御モードを切り替える制御方法であって、
操作対象機器から信号を受信するステップと、
受信した信号から対象機器を認証するステップと、
認証した対象機器を操作できる制御モードへと切り替えるステップと、
を有する制御方法。
【請求項４】
請求項２に記載のリモートコントローラ装置を制御するプログラムであって、
操作対象機器から信号を受信するステップと、
受信した信号から対象機器を認証するステップと、
認証した対象機器を操作できる制御モードへと切り替えるステップと、
を前記リモートコントローラ装置に実行させるためのプログラム。
【請求項５】
請求項１に記載のリモートコントローラ装置であって、
操作対象機器から機器制御コードおよび制御プログラムを受信する受信部と、
受信した機器制御コードおよび制御プログラムへと切り替える制御部と、
を備えたリモートコントローラ装置。
【請求項６】
請求項５に記載のリモートコントローラ装置の制御モードを切り替える制御方法であって、
操作対象機器から機器制御コードおよび制御プログラムを受信するステップと、
受信した機器制御コードおよび制御プログラムへと切り替えるステップと、
を有する制御方法。
【請求項７】
請求項５に記載のリモートコントローラ装置を制御するプログラムであって、
操作対象機器から機器制御コードおよび制御プログラムを受信するステップと、
受信した機器制御コードおよび制御プログラムへと切り替えるステップと、
を前記リモートコントローラ装置に実行させるためのプログラム。
【請求項８】
請求項１に記載のリモートコントローラ装置であって、
操作対象機器にある反射板からの反射光を受信する受光部と、
反射光から対象機器を認証する認証部と、
認証した対象機器を操作できる制御モードへと切り替える制御部と、
を備えたリモートコントローラ装置。
【請求項９】
請求項８に記載のリモートコントローラ装置の制御モードを切り替える制御方法であって、
操作対象機器にある反射板からの反射光を受信するステップと、
反射光から対象機器を認証するステップと、
認証した対象機器を操作できる制御モードへと切り替えるステップと、
を有する制御方法。
【請求項１０】
請求項８に記載のリモートコントローラ装置を制御するプログラムであって、
操作対象機器にある反射板からの反射光を受信するステップと、
反射光から対象機器を認証するステップと、
認証した対象機器を操作できる制御モードへと切り替えるステップと、
を前記リモートコントローラ装置に実行させるためのプログラム。
【請求項１１】
撮像機能を備えた請求項１に記載のリモートコントローラ装置であって、
撮像された画像から対象機器を認識する認識部と、
認識した機器に対応して制御モードを切り替える制御部と、
を備えた請求項１に記載のリモートコントローラ装置。
【請求項１２】
撮像機能を備えた請求項１に記載のリモートコントローラ装置の制御  モードを切り替える制御方法であって、
撮像された画像から対象機器を認識するステップと、
認識した機器に対応して制御モードを切り替えるステップと、
を有する制御方法。
【請求項１３】
撮像機能を備えた請求項１に記載のリモートコントローラ装置を制御するプログラムであって、
撮像された画像から対象機器を認識するステップと、
認識した機器に対応して制御モードを切り替えるステップと、
を有する前記リモートコントローラ装置に実行させるためのプログラム。
【請求項１４】
センターとの通信機能を備えた請求項１に記載のリモートコントローラ装置であって、
認証された対象機器に対応した制御モードが記憶部に無い場合に、
センターとの通信機能部を備え、
センターから制御モードの情報を受け取ることを特徴としたリモートコントローラ装置。
【請求項１５】
センターとの通信機能を備えた請求項１に記載のリモートコントローラ装置のモードを切り替える制御方法であって、
認証された対象機器に対応した制御モードが記憶部に無い場合に、
センターと通信するステップと、
を有する制御方法。
【発明の詳細な説明】
【技術分野】
【０００１】
本発明は、各機器を操作するリモートコントローラに関するものである。
【背景技術】
【０００２】
従来のリモートコントローラ装置としては、操作対象の機器が複数ある場合において、同じメーカーの機器ならば、ユーザは同じリモコンでそのまま操作することができたが、異なるメーカーの機器の場合は、各メーカーごとにリモコン設定が異なるため、同じリモコンではそのまま操作することができず、ユーザは各メーカーごとのリモコン設定に切り替えて操作する場合があった。
【０００３】
あるいは、リモコンの設定を各メーカーの機器に設定されたリモコンを複数用意し、ユーザはそれらを使い分けることで、操作対象の機器を使い分けていた。
【０００４】
また、特許文献１には制御対象機器と、予め通信し、制御対象機器関連情報を取得し、これに基いて制御を行うリモートコントローラに関する記載がある。
【特許文献１】特開平５−３１６５７１号公報
【発明の開示】
【発明が解決しようとする課題】
【０００５】
しかしながら、ユーザはリモコンの制御コードが異なる複数の機器に対しては、そのまま操作ができないので、リモコンの設定をユーザがボタンを押下する等による操作が必要であった。したがって、異なる制御コードを持つ複数の機器に対しては、操作対象機器を限定したとしても、ユーザによるボタン押下等の操作が必要であるという課題を有していた。
【０００６】
また、特許文献１に記載のリモートコントローラにあっては、制御対象機器を変更する度に、制御に関する情報を取得する必要があるため、以前に取得した情報であってもあらためて取得する必要が生じ、時間や電力の無駄を生じていた。
【課題を解決するための手段】
【０００７】
前記従来の課題を解決するために、本発明のリモートコントローラ装置は、操作対象機器から送信された機器特定信号を受信する受信部を備え、受信した信号から操作対象機器を認証する認証部を備える。本構成によって、機器特定要求を操作対象機器へと送信し、操作対象機器からの機器固有信号を受け取り、その信号から操作対象機器を認識して、現在にリモコン設定を操作対象機器の制御コードへと切り替えることにより、対象機器のリモコンを制御できるリモートコントローラ装置を提供することを目的とする。
【発明の効果】
【０００８】
本発明のリモートコントローラ装置によれば、操作対象の切り替えに機器選択のためのボタン押下等のユーザ操作をすることなく、簡易に操作対象機器を設定することができる。
【０００９】
また、操作対象機器の認証を行い、既に機器制御モードに関する情報を取得している操作対象機器については、改めて情報を取得することなく、設定を行うことにより、設定時間、電力の無駄を省くことができる。
【発明を実施するための最良の形態】
【００１０】
以下本発明の実施の形態について、図面を参照しながら説明する。
【００１１】
（実施の形態１）
図１は、本発明の実施の形態１におけるリモートコントローラ装置のブロック図である。
【００１２】
図１において、第一の送信部は対象機器を操作するための赤外光送信部１０２であり、第二の送信部は、機器特定要求を送信するための機器特定要求信号送信部１０３である。受信部１０１は、第二の送信部１０３から送信された機器特定要求に対して対象機器が送信してきた機器固有信号等を受信する部分である。マイコン１０５は前記受信部１０１で受信した機器固有信号を受け取り、それに対応してリモコンの制御コードを切り替えるものである。メモリ１０４は前記機器固有信号および制御コードを対応させて記憶しておく部分である。これらをバス接続等により接続する構成となっている（実施の形態１の構成）。
【００１３】
また図５は、本発明の実施の形態１におけるリモートコントローラ装置のフローチャート図である。
【００１４】
前記図１の構成から、まず第一のステップ０１ではリモコン側の第二の送信部１０２から操作対象機器に対して可視光による機器特定要求信号を発信する。それに対して、第二のステップ０２では操作対象機器側の受信部１０９において前記機器特定要求信号を受信する。それを受けて第三のステップ０３では操作対象機器側の送信部１０８からリモコンへ向けて機器特定信号を発信する。第四のステップ０４では、リモコン側の受信部１０１で前記機器特定信号を受信する。第五のステップ０５では、前記機器特定信号対してメモリ１０４内部にある機器特定テーブルから一致するものを検索し、その検索結果により操作対象機器を認証する。図９は機器特定テーブルであり、この場合機器特定信号は機器特定情報となる。第六のステップ０６では、認証した操作対象機器の機器制御モードを機器特定テーブルから参照して、リモコン内部の制御モードを切り替える（実施の形態１の制御フロー）。
【００１５】
以上のように、本実施の形態１では、リモコン側からの操作対象の機器に対して、可視光により操作対象を特定する要求を出し、要求された機器は機器固有の信号を返し、それを受信してリモコン側の機器制御モードを切り替えることで、その場に複数の機器が存在し、ある特定の機器を操作する場合にでも、リモコン側は自動的に操作対象の制御モードへと切り替わるため、ユーザは操作対象の機器を変えようとする場合にでもモード切替のためのボタン押下等の操作が必要なくなる。ユーザはリモコン操作の際に、他の機器の制御モードのまま、誤って機器操作をすることがない。
【００１６】
なお、本実施の形態において、機器特定要求を送信する部分として可視光の第二の送信部１０３を設けたが、赤外光あるいは電波、音波、超音波などとしても良い。
【００１７】
以下、実施の形態を上記実施の形態１と異なる点のみ説明する。
【００１８】
（実施の形態２）
前記実施の形態１において、リモコン側から送信した機器特定要求信号に対して、機器側が機器特定信号のみを送信したが、機器特定信号を用いた認証の結果、メモリ１０４に捜査対象機器に関する機器制御モードの情報がないときは、これの送信を要求することも可能である。ここにおいて制御モードとは、メーカーや機種ごとに異なるもので、機器制御モードの情報とは、機器を特定後に、リモコンから制御機器を操作するための情報である。
【００１９】
この場合も、前記実施の形態１と同じ構成をもつことで可能である。
【００２０】
リモコン側の受信部１０１により受信した機器制御モードに対して、第五のステップで操作対象の機器を認証する。第６のステップに移行する前に認証された機器に関する機器制御モードの情報がメモリ１０４に存在するかを確認し、存在しないときには、この情報を操作対象機器から入手する。第六のステップでは、認証した操作対象機器に適応するようリモコン内部の制御モードを切り替えて、入手した機器制御モードの情報を有効にする。
【００２１】
以上のように、本実施の形態２では、対象機器側から機器制御モードの情報を直接受信し、これを設定する場合に対しても有効である。
【００２２】
（実施の形態３）
図２は、本発明の実施の形態３におけるリモートコントローラ装置のブロック図であり、図６は同じくフローチャート図である。
【００２３】
前記実施の形態１では、第二の送信部から機器特定要求信号を送信していたが、本実施の形態３では、可視光を送信しその反射光により操作対象機器を認証する。
【００２４】
図２において、第二の送信部は可視光を送信するための可視光送信部２０３であり、受信部２０１は可視光送信部から送信され操作対象機器から反射された機器を特定する反射光を受信する機器特定光受信部である。前記操作対象機器から反射された機器を特定する反射光は、機器側にある反射板２０７により反射される。本発明の実施の形態３は、前記発明の形態１に比べて以上のような構成となっている。
【００２５】
図６において、前記実施の形態１と異なり、機器側は機器特定反射板による反射のみとなっている。本実施の形態３においては、第一のステップでは、可視光送信部２０３から機器側の機器特定反射板２０７へと可視光を送信する。第二のステップでは、機器特定反射板２０７に照射された可視光が反射波となってリモコンへと帰っていく。ここで、機器特定反射板２０７とは、機器固有の反射板であり、例えばバーコードといった機器固有のマークを持つものである。第三のステップでは、機器側の機器特定反射板２０７により反射された機器特定光がリモコン側の受信部２０１により受信される。
【００２６】
以上のように、本実施の形態３においても、前記実施の形態１と同じ効果が得られる。
【００２７】
（実施の形態４）
図３は、本発明の実施の形態４におけるリモートコントローラ装置のブロック図であり、図７は同じくフローチャート図である。
【００２８】
前記実施の形態１では、第二の送信部から機器特定要求信号を送信していたが、本実施の形態３では、撮像機能を備えることで操作対象機器の映像を受信し、その映像から操作対象機器を認証する。
【００２９】
図３において、映像受信部３０１は撮像機能を備え操作対象機器の映像を受信する映像受信部である。前記操作対象機器の映像から操作対象を認識する。本発明の実施の形態３は、前記発明の形態１に比べて以上のような構成となっている。
【００３０】
図６において、前記実施の形態１と異なり、リモコン側は機器特定要求を発信しない。また、機器側は機器特定要求信号の受信および機器特定信号の送信も行わない。
【００３１】
本実施の形態４においては、図７に示すように、第一のステップ０１では、リモコン側の映像受信部３０１により操作対象機器の映像を受信する。第二のステップ０２では、この受信した映像から対象機器を認識する。第三のステップ０３では、認識した対象機器について機器特定テーブルから一致するものを検索し、その検索結果により操作対象機器を認証する。図９は機器特定テーブルであり、この場合認識した対象機器の映像が機器特定情報となる。第四のステップ０４では、認証した操作対象機器の機器制御モードを機器特定テーブルから参照して、リモコン内部の制御モードを切り替える。
【００３２】
以上のように、本実施の形態４においては、受信機側の構成を必要としないため、回路削減の効果が得られる。
【００３３】
（実施の形態５）
図４は、本発明の実施の形態５におけるリモートコントローラ装置のブロック図であり、図８は同じくフローチャート図である。
【００３４】
上記実施の形態１における第五のステップ０５において、メモリ４０４内部の機器特定テーブルから受信した機器特定信号を検索する際に、必ず一致するものがあるとは限らない。
【００３５】
機器特定テーブルにおいて、受信した機器特定信号を検索した時に一致するものが無かった場合には、第七のステップ０７においてセンター通信部４１０によりネットワークへ接続し機器特定信号に適合した機器制御モードの情報を入手する。そして、入手した機器制御モードの情報を、第八のステップ０８によりメモリ４０４内にある機器特定テーブルへ追加する。
【００３６】
なお、機器特定テーブルの一例を図９に示す。
【００３７】
以上により、機器特定テーブル内に操作対象となる機器の制御モードが存在しない場合でも、不都合なく使用することができる。
【産業上の利用可能性】
【００３８】
本発明にかかるリモートコントロール装置は、受信部を有し、テレビ用リモコン等として有用である。またユニバーサルデザインリモコン等の用途にも応用できる。
【図面の簡単な説明】
【００３９】
【図１】本発明の実施の形態１におけるリモートコントローラ装置のブロック構成図
【図２】本発明の実施の形態３におけるリモートコントローラ装置のブロック構成図
【図３】本発明の実施の形態４におけるリモートコントローラ装置のブロック構成図
【図４】本発明の実施の形態５におけるリモートコントローラ装置のブロック構成図
【図５】本発明の実施の形態１におけるリモートコントローラ装置のフローチャート
【図６】本発明の実施の形態３におけるリモートコントローラ装置のフローチャート
【図７】本発明の実施の形態４におけるリモートコントローラ装置のフローチャート
【図８】本発明の実施の形態５におけるリモートコントローラ装置のフローチャート
【図９】本発明で利用する操作対象機器を認証するためのテーブルを示す図
【符号の説明】
【００４０】
１０１    機器固有信号受信部
１０２    赤外光送信部
１０３    機器特定要求信号送信部
１０４    メモリ
１０５    マイコン
１０６    リモコンキー
１０７    マイコン
１０８    機器固有信号送信部
１０９    機器特定要求信号受信部
２０１    受信部
２０２    赤外光送信部
２０３    可視光送信部
２０４    メモリ
２０５    マイコン
２０６    リモコンキー
２０７    機器特定反射板
３０１    映像受信部
３０２    赤外光送信部
３０４    メモリ
３０５    マイコン
３０６    リモコンキー
４０１    機器固有信号受信部
４０２    赤外光送信部
４０３    機器特定要求信号送信部
４０４    メモリ
４０５    マイコン
４０６    リモコンキー
４０７    マイコン
４０８    機器固有信号送信部
４０９    機器特定要求信号受信部
４１０    センター通信部
【図１】
2005210576.tif 000003
【図２】
2005210576.tif 000004
【図３】
2005210576.tif 000005
【図４】
2005210576.tif 000006
【図５】
2005210576.tif 000007
【図６】
2005210576.tif 000008
【図７】
2005210576.tif 000009
【図８】
2005210576.tif 000010
【図９】
2005210576.tif 000011